(57)【要約】【課題】特にスポーツ時の激しい動作時における、足首から脛又は脹脛の中間付近まで着用するレギュラーサイズの靴下の履き口に関して、良好な着用感を有し、ズリ落ちを防止することが可能な靴下を提供する。【解決手段】  本発明の靴下は、シングルシリンダを用いた編み機により編成した、レギュラーサイズの靴下であって、前記靴下は、フット部とレッグ部とからなり、レッグ部の上端を折り返して、二重に重ねて履き口とするタイプの靴下であり、前記レッグ部の上端を二重に重ねる部分が、表糸と弾性糸のみから編成され、又、二重に重ねる部分以外のレッグ部は表糸と裏糸、弾性糸で編成した。【選択図】図２
2010285729.tif 000002
【特許請求の範囲】
【請求項１】
シングルシリンダを用いた編み機により編成した、レギュラーサイズの靴下であって、
前記靴下は、フット部とレッグ部とからなり、レッグ部の上端を折り返して、二重に重ねて履き口とするタイプの靴下であり、
前記レッグ部の上端を二重に重ねる部分が、表糸と弾性糸のみから編成され、又、二重に重ねる部分以外のレッグ部は表糸と裏糸、弾性糸で編成した靴下。
【請求項２】
前記靴下のレッグ部において、足首部、足首と履き口の中間部、履き口部での衣服圧の最大値と最小値の差が１．０ｋｐａ以内とした、請求項１に記載の靴下。
【請求項３】
前記靴下のレッグ部において、上端を二重に重ねた部分である履き口と、その履き口の直下である部分をリング状に輪切りにし、１５０ｍｍ伸長させたときの応力の差が５．０Ｎ以内とした、請求項１、２のいずれかに記載の靴下。
【請求項４】
前記靴下の前記履き口のウェール方向の長さが１４ｍｍ以上、４０ｍｍ未満とした、請求項１〜３のいずれかに記載の靴下。
【発明の詳細な説明】
【技術分野】
【０００１】
本発明は、編み機により編成した靴下に関するものである。
【背景技術】
【０００２】
スポーツ用品における靴下は、シングルシリンダを用いた編み機により編成した靴下が主流であり、その理由は、ダブルシリンダを用いた編み機より、編み効率が良く、編み組織の変化がし易く、編みこむ糸の種類、本数が多いため、複雑な編地を作成できるので、様々なメーカーにおいてスポーツ用靴下を、シングルシリンダを用いた編み機により作成されているのが現状である。
そしてこれらの靴下は、スポーツ時の激しい動作によるズリ落ちを防止することが必須であり、靴下のズリ落ちを防止する技術に関しては、従来より多く検討されている。例えば、足首から履き口に至って編み込むゴムの引っ張り力や領域を変化させることにより、履き心地が良く、ズリ落ちを防止する靴下を提供することについての開示がある（特許文献１〜３）。また、糸の編成や給糸量を変化させることにより、部分的な締め付けや靴下の形状を調整することにより、前記効果を提供することについての開示がある（特許文献４、５）。
【特許文献１】特開平１０−２１９５０３号公報
【特許文献２】特開平１０−２５１９０２号公報
【特許文献３】実用新案登録第３１３１０３５号公報
【特許文献４】実開平０６−０３７３０３号公報
【特許文献５】実開平０５−０９４２０８号公報
【０００３】
又、特にスポーツ時の激しい動作時における、足首から脹脛の中間付近まで着用するレギュラーサイズの靴下の履き口に関しては、折り返して二重に形成し、衣服圧を高めて、ズリ落ちを防止する技術を一般的に用いていた。
しかし、前記技術を用いた靴下は、履き口を折り返して二重に形成しているために、履き口が分厚くなってしまう。さらにはレギュラーサイズであると人体の膝から下の脚部における最も太い部分の近辺（脛と脹脛の周り）に履き口が位置し、履き口が伸長することにより、履き口の上部が脚部への線接触となり、着圧が高くなって、脛と脹脛の周りが太い人ほど、着用時の不快感または痛みを感じる原因となっていた。
【発明の概要】
【発明が解決しようとする課題】
【０００４】
本発明は、前記従来の問題を解決するため、特にスポーツ時の激しい動作時における、足首から脛又は脹脛の中間付近まで着用するレギュラーサイズの靴下の履き口に関して、良好な着用感を提供し、ズリ落ちを防止することが可能な靴下に関するものである。
【課題を解決するための手段】
【０００５】
本発明の靴下は、シングルシリンダを用いた編み機により編成した、レギュラーサイズの靴下であって、
前記靴下は、フット部とレッグ部とからなり、レッグ部の上端を折り返して、二重に重ねて履き口とするタイプの靴下であり、
前記レッグ部の上端を二重に重ねる部分が、表糸と弾性糸のみから編成され、又、二重に重ねる部分以外のレッグ部は表糸と裏糸、弾性糸で編成したことを特徴とするものである。
【０００６】
好ましくは、前記靴下のレッグ部において、足首部、足首と履き口の中間部、履き口部での衣服圧の最大値と最小値の差が１．０ｋｐａ以内とし、
より好ましくは、上端を二重に重ねた部分である履き口と、その履き口の直下である部分をリング状に輪切りにし、１５０ｍｍ伸長させたときの応力の差が５．０Ｎ以内とし、
さらに好ましくは、履き口のウェール方向の長さが１４ｍｍ以上、４０ｍｍ未満とすることを特徴とする靴下である。
【発明の効果】
【０００７】
本発明の靴下は、上記の構成とすることにより、レギュラーサイズであると人体の膝から下の脚部における最も太い部分の近辺（脛と脹脛の周り）の履き口が伸長することによる、履き口上部の脚部への線接触を防止し、着圧を適度なものとし、脛と脹脛の周りが太い人でも、不快感や痛みを感じず、着用感を良好とする効果を奏する。また、レッグ部の上端を折り返して二重に重ねる部分は、表糸と弾性糸のみから編成されるが、外観は従来の、表糸と裏糸、弾性糸で編成するタイプの靴下と変わらず、意匠性やファッション性も保たれる靴下である。
【図面の簡単な説明】
【０００８】
【図１】図１は従来品、又は本発明品における靴下１の外観図である。
【図２】図２（ａ）は図１における靴下１のＩ−Ｉ断面図において、従来品における靴下１ａの、履き口を二重に重ねた部分２ａとその直下部の断面図である。図２（ｂ）は図１における靴下１のＩ−Ｉ断面図において、本発明の一実施例における靴下１ｂの、履き口を二重に重ねた部分２ｂとその直下部の断面図である。
【図３】図３（ａ）は従来品における靴下１ａを人体の脚部９に着用した時のイメージ図である。  図３（ｂ）は本発明の一実施例における靴下１ｂを人体の脚部９に着用した時のイメージ図である。
【図４】図４は、従来品１ａと本発明品１ｂ、さらには市場にて販売されている任意の靴下２種類（他社品Ａ・Ｂ）をマネキンによる衣服圧計測器に着用させたときの衣服圧の値を、グラフで示したものである。
【図５】図５は、靴下のレッグ部において、履き口における衣服圧を変化させたときの、履き口直下の部分との、衣服圧差に対する履き心地についてのアンケート調査結果である。
【図６】図６（ａ）は、従来品１ａと本発明品１ｂのレッグ部において、履き口をリング状に輪切りにし、引っ張り試験機に取り付け、荷重したときの、応力と伸びの関係をグラフで示したものである。図６（ｂ）は、従来品１ａの履き口と、履き口の直下である部分をリング状に輪切りにし、引っ張り試験機に取り付け、荷重したときの、応力と伸びの関係をグラフで示したものである。図６（ｃ）は、本発明品１ｂの履き口と、履き口の直下である部分をリング状に輪切りにし、引っ張り試験機に取り付け、荷重したときの、応力と伸びの関係をグラフで示したものである。
【図７】図７は、社団法人人間工学研究センター 人体計測データベースに掲載の３０〜６０歳の、一般男性の脹脛部の最大周囲径を計測したデータの分布をグラフで示したものである。
【図８】図８は、靴下のレッグ部において、履き口と、履き口直下部との応力差に対する履き心地についてのアンケート調査結果である。
【図９】図９（ａ）は、前記靴下の履き口の高さが１４ｍｍにおける、図１のＩ-Ｉ断面図を詳細に示したものである。  図９（ｂ）は、前記靴下の履き口の高さが１０ｍｍにおける、図１のＩ-Ｉ断面図を詳細に示したものである。
【発明を実施するための形態】
【０００９】
本発明者は、人体の膝から下の脚部に着目し、本発明の靴下を得るに至った。特にスポーツ時の激しい動作時における、足首から脹脛の中間付近まで着用するレギュラーサイズの靴下の履き口に関しては、折り返して二重に形成し、衣服圧を高めて、ズリ落ちを防止する技術を一般的に用いていた。しかし、前記技術を用いた靴下は、履き口を折り返して二重に形成しているために、履き口が分厚くなってしまう。さらにはレギュラーサイズであると人体の膝から下の脚部における最も太い部分の近辺（脛と脹脛の周り）に履き口が位置し、履き口が伸長することにより、履き口の上部が脚部への線接触となり、着圧が高くなって、脛と脹脛の周りが太い人ほど、着用時の不快感または痛みを感じる原因となっていた。
本発明は、これを解消するためのものである。
【００１０】
本発明の靴下は、フット部とレッグ部からなり、主要部はレッグ部となるのでフット部においてはどのような構成としても任意である。レッグ部は、シングルシリンダを用いた編み機により編成した、レギュラーサイズの靴下であって、レッグ部の上端を折り返して、二重に重ねて履き口とするタイプの靴下であり、レッグ部の上端を二重に重ねる部分が、表糸と弾性糸のみから編成され、又、二重に重ねる部分以外のレッグ部は表糸と裏糸、弾性糸で編成したことを特徴とするものである。これにより、レギュラーサイズであると人体の膝から下の脚部における最も太い部分の近辺（脛と脹脛の周り）の履き口が伸長することによる、履き口上部の脚部への線接触を防止し、着圧を適度なものとし、脛と脹脛の周りが太い人でも、不快感や痛みを感じず、着用感を良好とする。
【００１１】
レギュラーサイズとは、靴下の踵から履き口までの長さが２００〜３００ｍｍの範囲であり、履き口が脹脛の最大周囲径の位置より下になるサイズであって、一般的に流通している靴下の中で、最も一般的な丈である。
【００１２】
表糸とは、靴下の形状に編み終えた際、足に触れない側（外側）に大部分が出てくる糸の事である。主に、靴下の厚み、風合い、強度、形状などに寄与する糸であり、靴下を構成する糸の中で使用割合が最も大きい。
裏糸とは、靴下の形状に編み終えた際、足に触れる側（内側）に大部分が出てくる糸の事である。主に、靴下のストレッチ性、強度、形状などに寄与する糸である。
弾性糸とは、靴下の形状に編み終えた際、足に触れる側（内側）に大部分が出ており、ポリウレタン、ポリエステルの伸張性がある素材からなる糸である。主に、靴下のストレッチ性、形状などに寄与する糸である。
【００１３】
本発明の靴下は、レッグ部において、足首部、足首と履き口の中間部、履き口部での衣服圧の最大値と最小値の差が１．０ｋｐａ以内とすることが好ましい。これにより、レッグ部における衣服圧が部分的に高くならず、全体的に均等に分布されるため、着用感を良好にする効果を高める。
【００１４】
さらに、レッグ部において、上端を二重に重ねた部分である履き口と、その履き口の直下である部分をリング状に輪切りにし、１５０ｍｍ伸長させたときの応力の差が５．０Ｎ以内とすることが好ましい。前記リング状に輪切りにするサイズは、ウェール方向に２０ｍｍ、コース方向に１０５ｍｍとする。これにより、人体の膝から下の脚部における最も太い部分の近辺（脛と脹脛の周り）が太い人になればなるほど、履き口の衣服圧が２次曲線的に増加し、履き口が食い込み、不快感や痛みを感じることを防止し、様々な足の太さ（形状）の人に着用感が良好な靴下とすることが出来る。
【００１５】
さらには、前記靴下の前記履き口のウェール方向の長さが１４ｍｍ以上、４０ｍｍ未満とすることが好ましく、上記の足首部、足首と履き口の中間部、履き口部での衣服圧の最大値と最小値の差や、履き口と、履き口の直下である部分をリング状に輪切りにし、１５０ｍｍ伸長させたときの応力の差を調整することを可能とし、着用感を良好とする効果をコントロールし易く出来る。靴下の履き口のウェール方向の長さが１４ｍｍ未満の場合、履き口と脚に接する面積が小さくなるので、衣服圧が高くなり、良好な履き心地が得られない。靴下の履き口のウェール方向の長さが４０ｍｍ以上の場合、靴下全体に対して履き口の占める割合が大きくなるため、一般に受け入れられる意匠となりにくい。
【００１６】
レッグ部の上端を二重に重ねる部分は、シングルシリンダを用いて編成されており、従来例ではレッグ部での延長である表糸と裏糸、弾性糸で編成した上端をそのまま靴下内部に折り返し、一定の幅をもたせて縫着することで形成していた。しかし、本発明のレッグ部の上端を二重に重ねる部分において、裏糸の給糸を停止させ、表糸と弾性糸のみで編成し、編地の端末は靴下本体と縫着することで形成される。
【００１７】
本発明の靴下を構成する糸の繊維の種類として、弾性糸は、ポリウレタン系弾性糸、ポリエステル系弾性糸、ＣＳＹ（コアスパンヤーン）、ＦＴＹ（ファイバーツイステッドヤーン）、ＤＣＹ（ダブルツイステッドヤーン）から選ばれる少なくとも一つであることが好ましい。ストレッチ性が高く、靴下に適しているからである。表糸は、非弾性糸（リジッド糸）として、にポリエステル繊維、ナイロン繊維、アクリル繊維、ウール、木綿などいずれの繊維から選択して使用しても良い。裏糸は、非弾性糸（リジッド糸）または、ＣＳＹ（コアスパンヤーン）、ＦＴＹ（ファイバーツイステッドヤーン）、ＤＣＹ（ダブルツイステッドヤーン）のどれでも良い。
【００１８】
本発明の靴下は、例えば永田精機社製の編機を使用して編成できる。この編機のうち、本発明に特に好適なのは、編機の径が３．７５インチであり、針本数が１３２本の編機である。
【００１９】
以下図面を用いて説明する。
図１はシングルシリンダを用いた編み機により編成した、レッグ部の上端を折り返して、二重に重ねて履き口とするレギュラーサイズの靴下１の従来品、また本発明品の外観図である。外観においては、従来品も、本発明品も同様である。
【００２０】
図２（ａ）は図１における靴下のＩ−Ｉ断面図において、従来品１ａの、履き口を二重に重ねた部分２ａとその直下部の断面図である。
図２（ｂ）は図１における靴下のＩ−Ｉ断面図において、本発明の一実施例である１ｂの、履き口を二重に重ねた部分２ｂとその直下部の断面図である。
これらにより、従来品１ａより本発明品１ｂは、裏糸が無い分だけ折り返し部分が薄くなっていることがわかる。
【００２１】
図３（ａ）は、従来品における靴下１ａを人体の脚部９に着用した時のイメージ図である。
図３（ｂ）は、本発明品における靴下１ｂを人体の脚部９に着用した時のイメージ図である。
これらは、本発明品１ｂよりも従来品１ａの履き口が二重となっているために、履き口が分厚くなり、脛と脹脛に履き口の上部が線接触して衣服圧が高くなり、皮膚に食い込んで、着用感が良好で無い又は痛みを生じている状態を示している。
【００２２】
図４は、従来品１ａと本発明品１ｂ、さらには市場にて販売されている任意の靴下２種類（他社品Ａ・Ｂ）をマネキンによる衣服圧計測器（（株）エイエムアイ・テクノ製のＡＭＩ３０３７シリーズ（φ２０）を使用し、衣服圧変換器（アンプ）は（株）エイエムアイ・テクノ製のＡＭＩ３０３７−２を使用し、データコレクターには安立計器（株）製のＡＭ−７０５２を使用）に着用させたときの靴下の各部位における衣服圧の値を、棒グラフで示したものである。
これによると、本発明品１ｂは、従来品１ａよりも履き口において１．０Ｋｐａ程度低くなっているのが分かる。また、本発明品１ｂは従来品１ａ、他社品Ａ・Ｂと比較しても、足首部、履き口と足首の中間部、履き口部において、衣服圧の差が１．０Ｋｐａ以下となっており、バランスよく締め付けられていることが分かる。さらには本発明品１ｂは、足首部、履き口と足首の中間部、履き口部において衣服圧が２．０Ｋｐａ未満であるのに対し、従来品１ａ、他社品Ａ・Ｂでは、いずれかの部分が２．０Ｋｐａ以上の値であることが分かる。一般に衣服圧が２．０Ｋｐａ以下の衣服圧であれば、着用感がきつく感じ難いと言われている。
【００２３】
図５は、靴下のレッグ部において、履き口における衣服圧を変化させたときの、履き口直下の部分との、衣服圧差（Ｋｐａ）に対する履き心地について、３１名の一般男性の被験者についてアンケート調査を行い、その結果を、縦軸が衣服圧差、横軸を履き心地とした場合の散布図としてグラフ上にプロットしたものである。衣服圧は、前記図４の説明に記載のマネキンによる衣服圧計測器にて測定している。履き心地については、
１：非常に悪い  ２：悪い  ３：普通  ４：良い  ５：非常に良い
として被験者は判断している。
調査結果として、衣服圧差が１Ｋｐａ前後の場合に、４：良い  ５：非常に良いという傾向が強くなっており、１Ｋｐａ以内であればより良好な着用感が得られることが分かる。
【００２４】
図６（ａ）は、従来品１ａと本発明品１ｂのレッグ部において、履き口部分を、ウェール方向に２０ｍｍ、コース方向に１０５ｍｍとするリング状に輪切りにし、引っ張り試験機（島津製オートグラフ 品番ＡＧＳ−５００Ｄ）の両端のチャックに棒状のジグを水平になるように取り付け、棒状のジグがリング状の試料の内側になるように設置し、２００ｍｍ/ｍｉｎの速度で荷重したときの、応力と伸びの関係をグラフ化したものである。
これによると、従来品１ａよりも本発明品１ｂでは、伸ばし初めの段階から荷重が少なく、徐々に応力差が広がって行き、１２０ｍｍ辺りから二次曲線的に急激に差が広がり、１５０ｍｍ付近では、１０Ｎ以上の応力差となっている。よってこれにより、同じ伸びの場合は、従来品１ａより本発明品１ｂの履き口部分の方がストレッチ性が良く、伸びが大きくなればなるほど、ストレッチ性が悪くなることがわかる。つまり、足が太くなるに従い、従来品ではより締め付け感が生じることになる。つまり、従来品１ａよりも様々なレッグ形状に本発明品１ｂは適応が可能であるといえる。
【００２５】
図６（ｂ）は、従来品１ａのレッグ部において、履き口と、履き口の直下である部分をリング状に輪切りにし、引っ張り試験機に取り付け、荷重したときの応力と伸びの関係をグラフで示したものである。試料、試験条件については、前記図６（ａ）の説明に記載があるものと同様である。
これによると、従来品１ａの履き口と、履き口の直下である部分の応力差は１５０ｍｍ付近で１０Ｎ前後となっていることが分かる。
【００２６】
図６（ｃ）は、本発明品１ｂのレッグ部において、履き口と、履き口の直下である部分をリング状に輪切りにし、引っ張り試験機に取り付け、荷重したときの応力と伸びの関係をグラフで示したものである。試料、試験条件については、前記図６（ａ）、（ｂ）の説明に記載があるものと同様である。
これによると、本発明品１ｂの履き口と、履き口の直下である部分の応力差は１５０ｍｍ付近で５Ｎ以下の応力差となっており、従来品１ａの場合と比較すると、その応力差は半分以下であり、締め付け感が緩和されているといえる。
【００２７】
図７は、社団法人人間工学研究センター 人体計測データベースの３０〜６０歳の、一般男性の脹脛部の最大周囲を６３８４人分計測したデータを、ヒストグラムの分布にて表したグラフである。
このグラフの統計値を参照すると、脹脛部の最大周囲の被験者中での最大値が、４８０ｍｍである。前記図６の説明に記載の試料を、１５０ｍｍまで伸長させた状態では、脹脛５００ｍｍの人が着用した時の状態を再現しており、（脹脛断面を円周≒（試料の元の長さ+伸長分）×２と仮定したとき、（１０５ｍｍ+１５０ｍｍ）×２≒５００ｍｍ）１５０ｍｍ伸長させた時の荷重を基準値とすることで、全てのターゲットを包括できることになる。
【００２８】
図８は、靴下のレッグ部において、履き口と、履き口直下部との応力差（Ｎ）に対する履き心地ついて、３１名の一般男性の被験者についてアンケート調査を行い、縦軸が応力差、横軸を履き心地とした場合の散布図としてグラフ上にプロットしたものである。応力差は、前記図６の説明に記載の試料の形状、試験機、試験条件にて測定している。履き心地については、
１：非常に悪い  ２：悪い  ３：普通  ４：良い  ５：非常に良い
として被験者は判断している。
調査結果として、履き口における応力差が５Ｎ前後の場合、履き心地が、４：良い  ５：非常に良い  とする傾向が強く、５Ｎ以内であればより良好な着用感が得られることが分かる。
【００２９】
図９（ａ）は、前記靴下の履き口の高さが１４ｍｍにおける、図１のＩ-Ｉ断面図を詳細に示したものである。
図９（ｂ）は、前記靴下の履き口の高さが１０ｍｍにおける、図１のＩ-Ｉ断面図を詳細に示したものである。
本発明品による靴下では、履き口を内部に折り返しているため、折り返した部分の上下端が湾曲した形状となる。図９（ａ）に示すように、履き口部が１４ｍｍ以上であれば、上下端の湾曲した部位１０ａを除いても、１０ｍｍ以上は平坦な部位１１ａとなり、脚表面と靴下の生地が広い面接触となるため、局部的な応力集中が起き難く、結果履き心地がきついと感じ難い。
図９（ｂ）に示すように、履き口部が１４ｍｍ未満であれば、上下端の湾曲した部位１０ｂを除いた平坦な部位１１ｂは１０ｍｍ未満となり、脚表面と靴下の生地が狭い線接触となるため、局部的な応力集中が起き易く、結果履き心地がきついと感じ易い。よって、図９（ａ）に示すように履き口の高さは１４ｍｍ以上であることが好ましく、さらには意匠性を保持するためには４０ｍｍ以下であることが好ましい。
【実施例】
【００３０】
以下、本発明の実施例について述べるが、本発明はこれらに限定されるものではない。
（実施例１）
【００３１】
（１）使用糸
本実施例の靴下の糸使いは、表糸として、アクリル糸（３２／−：毛番手）、裏糸として、ポリウレタンにナイロンをカバーリングしているＦＴＹ（ファイバーツイステッドヤーン）（繊度：３３ｄｅｃｉｔｅｘ（３０ｄ）／７７ｄｅｃｉｔｅｘ（７０ｄ））及び弾性糸として、ポリウレタンにナイロンをカバーリングしているＤＣＹ（ダブルカバードヤーン）（繊度：７７ｄｅｃｉｔｅｘ（７０ｄ）／７７ｄｅｃｉｔｅｘ（７０ｄ））の３種類からなり、表糸、裏糸及び弾性糸が靴下の全体を、表糸と裏糸が履き口部分を構成している。
【００３２】
（２）編機
永田精機社製の丸編機。径が３．７５インチであり、針本数が１３２本である。
【００３３】
（３）編成方法
本実施例品の編成は、履き口部分、足首部分、足部分、つま先部分の順に編んだ。始めは表糸、弾性糸のみで編み、４０ｍｍ編んだところで裏糸も加えて編んだ。踵部分の成型時は一部の針だけが上下運動を繰り返し、残りの針は止めておき、針は円周運動から円弧運動に切り替えた。円弧運動中、踵部の最も膨らみのある部位の成型にかけて上下運動する針の数を増やしていき、最も膨らみのある部位を越した後、上下運動する針の数を減らしていく。そうすることで、踵部分を凸状に成型することができた。その後、針は円周運動に戻り、足底部から足甲部の部位を編んだ。
（比較例１）
【００３４】
使用糸、編機は実施例１と同様であり、編成方法のみを以下の様に変更した。
比較品の編成は、履き口部分、足首部分、足部分、つま先部分の順に編んだ。始めから終わりまで表糸、裏糸、弾性糸で編んだ。踵部分の成型時は一部の針だけが上下運動を繰り返し、残りの針は止めておき、針は円周運動から円弧運動に切り替えた。円弧運動中、踵部の最も膨らみのある部位の成型にかけて上下運動する針の数を増やしていき、最も膨らみのある部位を越した後、上下運動する針の数を減らしていく。そうすることで、踵部分を凸状に成型することができた。その後、針は円周運動に戻り、足底部から足甲部の部位を編んだ。
【００３５】
以上のようにして編成した靴下の実施例１、比較例１の外観図を図１に示し、履き口とその直下部の断面図を図２（ａ）、（ｂ）に示し、このようにして得られた靴下の重量は１足（左右）合計で８０ｇであった。
【００３６】
（着用試験結果）
実施例１及び比較例１の靴下を被験者に１日着用してもらい、履き口の締め付け感、及び快適性、全体のズリ落ちの程度について、比較例１と実施例１を５段階で絶対評価し、その結果を被験者全員の平均値として、下記表１に示した。被験者は、それぞれ１０名とした。
【００３７】
（履き口の締め付け感について）
５    良好
４    概ね良好
３    普通
２    少しきつい
１    きつい
【００３８】
（快適性について）
５    良い
４    やや良い
３    同等
２    やや悪い
１    悪い
【００３９】
（ズリ落ちの程度について）
５    全くズリ落ちない
４    ほとんどズリ落ちない
３    ズリ落ちない
２    少しズリ落ちる
１    ズリ落ちる
【００４０】
【表１】
2010285729.tif 000003
【００４１】
表１の結果から、履き口においてレッグ部の上端を二重に重ねる部分が、表糸、弾性糸のみから編成された実施例１の方が、二重に重ねる部分が表糸と裏糸、弾性糸で編成した比較例１よりも締め付け感、快適性共に良好で、ズリ落ちにくい靴下であった。
【産業上の利用可能性】
【００４２】
本発明の靴下は、登山、トレッキング、ハイキング、スキー、スノーボード、スケート、野球、ゴルフ、ホッケー、サッカー、ジョギング、マラソン、テニス、バドミントン、スカッシュ、卓球などあらゆるスポーツに好適であるほか、一般の靴下としても有用である。
【符号の説明】
【００４３】
１  従来品、本発明品における靴下の外観図
１ａ  従来品における靴下
１ｂ  本発明品における靴下
２  従来品、本発明品における靴下１の、履き口において二重に重ねた部分
２ａ  従来品における靴下１ａの、履き口において二重に重ねた部分の断面図
２ｂ  本発明品における靴下１ｂの、履き口において二重に重ねた部分の断面図
３  従来品、本発明品における靴下１の、履き口において二重に重ねた部分２の縫着ライン
３ａ  従来品における靴下１ａの、レッグ部の履き口において二重に重ねた部分２ａの縫着ライン
３ｂ  従来品における靴下１ｂの、レッグ部の履き口において二重に重ねた部分２ｂの縫着ライン
４  フット部
５  レッグ部
６  表糸
７  裏糸
８  弾性糸
９  人体における脚部
１０ａ  靴下１の履き口を折り返した部分の高さが、１４ｍｍにおける場合の上下端
１０ｂ  靴下１の履き口を折り返した部分の高さが、１０ｍｍにおける場合の上下端
１１ａ  靴下１の履き口を折り返した部分の高さが、１４ｍｍにおける場合の肌との接触部分
１１ｂ  靴下１の履き口を折り返した部分の高さが、１０ｍｍにおける場合の肌との接触部分
【図１】
2010285729.tif 000004
【図２】
2010285729.tif 000005
【図３】
2010285729.tif 000006
【図４】
2010285729.tif 000007
【図５】
2010285729.tif 000008
【図６】
2010285729.tif 000009
【図７】
2010285729.tif 000010
【図８】
2010285729.tif 000011
【図９】
2010285729.tif 000012